(57)【要約】【課題】本発明は、スキャンモードを切り換える際の操作性を一段と向上できるようにする。【解決手段】本発明は、ＣＤ２５に記録されている複数の楽曲データを再生するＣＤプレーヤ１において、ＣＤの種類がＭＰ３で圧縮された楽曲データが格納されているものであるか、若しくは非圧縮の楽曲データが格納されたものであるかを判別し、ＣＤ２５の種類毎に存在する複数種類のスキャンモードをスキャンスイッチ１０に対する押下操作に応じて切り換え、かつ操作ボタン５に対する押下操作に応じてスキャン再生から通常再生へ切り換えることにより、ＣＤ２５の種類に拘わらず楽曲データの検索時の操作性を向上すると共にユーザの使い勝手を一段と向上することができる。【選択図】図５
2008071485.tif 000002
【特許請求の範囲】
【請求項１】
所定の記録媒体に記録されている複数のコンテンツを再生する再生装置において、
上記複数のコンテンツを通常の再生モードで再生し、又は当該複数のコンテンツを一部分づつスキャン再生する再生手段と、
上記記録媒体の属性情報を読み出す属性情報読出手段と、
上記属性情報に基づいて上記記録媒体の種類として、所定の方式で圧縮符号化された上記複数のコンテンツがフォルダ毎に記録されているものであるか、若しくは上記圧縮符号化されていない上記複数のコンテンツが記録されているものであるかを判別する判別手段と、
上記記録媒体が上記フォルダ毎に記録されているものであることを判別したとき、上記再生手段により、上記記録媒体に記録されている上記複数のコンテンツを全て一部分づつスキャン再生する全スキャンモード、上記記録媒体に記録されている所定のフォルダ内のコンテンツのみを全て一部分づつスキャン再生するフォルダ内スキャンモード、及び上記記録媒体に記録されている全てのフォルダにおける最初のコンテンツのみを一部分づつスキャン再生するフォルダスキャンモードを、所定のスキャンモード切換操作手段に対するユーザの押下操作に応じて切り換える第１のスキャンモード切換制御手段と、
上記記録媒体が上記圧縮符号化されていない上記複数のコンテンツが記録されているものであることを判別したとき、上記再生手段により、複数の上記記録媒体に記録されている上記複数のコンテンツを全て一部分づつスキャン再生する複数記録媒体全スキャンモード、複数の上記記録媒体のうち所定の記録媒体内のコンテンツのみを全て一部分づつスキャン再生する記録媒体内スキャンモード、及び複数の上記記録媒体における最初のコンテンツのみを一部分づつスキャン再生する記録媒体別スキャンモードを、上記スキャンモード切換操作手段に対する上記ユーザの押下操作に応じて切り換える第２のスキャンモード切換制御手段と、
上記全スキャンモード、上記フォルダ内スキャンモード又は上記フォルダスキャンモードの何れかによる上記スキャン再生を実行中、所定の通常再生操作手段に対する上記ユーザの押下操作に応じて上記通常の再生モードにおける再生処理に切り換え、上記複数記録媒体全スキャンモード、上記記録媒体内スキャンモード又は上記記録媒体別スキャンモードの何れかによる上記スキャン再生を実行中、上記通常再生操作手段に対する上記ユーザの押下操作に応じて上記通常の再生モードにおける再生処理に切り換える再生制御手段と
を具えることを特徴とする再生装置。
【請求項２】
上記通常再生操作手段は、上記再生装置の筐体前面における略中央部に、他の操作手段よりも大きなサイズで配置されている
ことを特徴とする請求項1に記載の再生装置。
【請求項３】
上記再生制御手段は、上記スキャンモード切換操作手段に対する押下回数に応じて上記複数種類のスキャンモードを切り換える
ことを特徴とする請求項1に記載の再生装置。
【請求項４】
上記再生制御手段は、上記スキャンモード切換操作手段に対する押下時間に応じて上記複数種類のスキャンモードを切り換える
ことを特徴とする請求項1に記載の再生装置。
【請求項５】
上記再生制御手段は、上記スキャンモード切換操作手段に対する押下深度に応じて上記複数種類のスキャンモードを切り換える
ことを特徴とする請求項1に記載の再生装置。
【請求項６】
所定の記録媒体に記録されている複数のコンテンツを再生する再生方法において、
上記記録媒体の属性情報を属性情報読出手段によって読み出す属性情報読出ステップと、
上記属性情報に基づいて上記記録媒体の種類として、所定の方式で圧縮符号化された上記複数のコンテンツがフォルダ毎に記録されているものであるか、若しくは上記圧縮符号化されていない上記複数のコンテンツが記録されているものであるかを判別手段によって判別する判別ステップと、
上記記録媒体が上記フォルダ毎に記録されているものであることを判別したとき、第１のスキャンモード切換制御手段により、上記記録媒体に記録されている上記複数のコンテンツを再生手段により全て一部分づつスキャン再生する全スキャンモード、上記記録媒体に記録されている所定のフォルダ内のコンテンツのみを上記再生手段により全て一部分づつスキャン再生するフォルダ内スキャンモード、及び上記記録媒体に記録されている全てのフォルダにおける最初のコンテンツのみを上記再生手段により一部分づつスキャン再生するフォルダスキャンモードを、所定のスキャンモード切換操作手段に対するユーザの押下操作に応じて切り換える第１のスキャンモード切換制御ステップと、
上記記録媒体が上記圧縮符号化されていない上記複数のコンテンツが記録されているものであることを判別したとき、第２スキャンモード切換制御手段により、複数の上記記録媒体に記録されている上記複数のコンテンツを上記再生手段により全て一部分づつスキャン再生する複数記録媒体全スキャンモード、複数の上記記録媒体のうち所定の記録媒体内のコンテンツのみを上記再生手段により全て一部分づつスキャン再生する記録媒体内スキャンモード、及び複数の上記記録媒体における最初のコンテンツのみを上記再生手段により一部分づつスキャン再生する記録媒体別スキャンモードを、上記スキャンモード切換操作手段に対する上記ユーザの押下操作に応じて切り換える第２のスキャンモード切換制御ステップと、
上記全スキャンモード、上記フォルダ内スキャンモード又は上記フォルダスキャンモードの何れかによるスキャン再生処理を実行中、再生制御手段により、所定の通常再生操作手段に対する上記ユーザの押下操作に応じて上記通常の再生モードにおける再生処理に切り換え、上記複数記録媒体全スキャンモード、上記記録媒体内スキャンモード又は上記記録媒体別スキャンモードの何れかによる上記スキャン再生処理を実行中、上記再生制御手段により、上記通常再生操作手段に対する上記ユーザの押下操作に応じて上記通常の再生モードにおける再生処理に切り換える再生制御ステップと
を有することを特徴とする再生方法。
【発明の詳細な説明】
【技術分野】
【０００１】
本発明は再生装置及び再生方法に関し、例えば車載用ＣＤ(Compact Disc)プレーヤに適用して好適なものである。
【背景技術】
【０００２】
従来、車載用ＣＤプレーヤにおいては、ＣＤに記録されている複数の楽曲における先頭部分だけを例えば１０秒間ずつ順次再生することによりいわゆるスキャン再生を実行し、これにより当該ＣＤに格納されている複数の楽曲の内容を短時間で全てユーザに認識させ得るようになされたものがある（例えば、特許文献１参照）。
【特許文献１】特許第２９２４２０７号明細書
【発明の開示】
【発明が解決しようとする課題】
【０００３】
ところでかかる構成の車載用ＣＤプレーヤにおいては、ＣＤチェンジャに複数枚のＣＤを格納することができるようになされているため、当該複数枚のＣＤ全部に格納されている楽曲の内容を確認するためには、複数の楽曲における先頭部分だけを例え１０秒間ずつ再生したとしても多大な時間を要してしまう。
【０００４】
そのような点から車載用ＣＤプレーヤでは、複数枚のＣＤ全部に格納されている複数の楽曲における先頭部分だけを１０秒間ずつ全ＣＤ分再生する全スキャン以外にも、いずれか一つ選択されたＣＤに格納されている楽曲の先頭部分を１０秒間ずつ再生するディスク内スキャンモード、さらに各ディスクに格納されている最初の楽曲における先頭部分を１０秒間ずつ再生するディスクスキャンモードといった複数種類のスキャンモードを有しており、操作パネルに設けられたメニューボタンからこれらのスキャンモードを呼び出して設定を切り換えるようになされている。
【０００５】
しかしながら車載用ＣＤプレーヤでは、運転中にメニューボタンからスキャンモードを呼び出して設定を切り換えることは、操作が煩雑であって運転中のユーザにとっては使い勝手が非常に悪いという問題があった。
【０００６】
本発明は以上の点を考慮してなされたもので、スキャンモードを切り換える際の操作性を一段と向上した再生装置及び再生方法を提案しようとするものである。
【課題を解決するための手段】
【０００７】
かかる課題を解決するため本発明においては、所定の記録媒体に記録されている複数のコンテンツを再生する再生装置において、複数のコンテンツを通常の再生モードで再生し、又は当該複数のコンテンツを一部分づつスキャン再生する再生手段と、記録媒体の属性情報を読み出す属性情報読出手段と、当該属性情報に基づいて記録媒体の種類として、所定の方式で圧縮符号化された複数のコンテンツがフォルダ毎に記録されているものであるか、若しくは圧縮符号化されていない複数のコンテンツが記録されているものであるかを判別する判別手段と、当該記録媒体がフォルダ毎に記録されているものであることを判別したとき、再生手段により、記録媒体に記録されている複数のコンテンツを全て一部分づつスキャン再生する全スキャンモード、記録媒体に記録されている所定のフォルダ内のコンテンツのみを全て一部分づつスキャン再生するフォルダ内スキャンモード、及び記録媒体に記録されている全てのフォルダにおける最初のコンテンツのみを一部分づつスキャン再生するフォルダスキャンモードを、所定のスキャンモード切換操作手段に対するユーザの押下操作に応じて切り換える第１のスキャンモード切換制御手段と、当該記録媒体が圧縮符号化されていない複数のコンテンツが記録されているものであることを判別したとき、再生手段により、複数の記録媒体に記録されている複数のコンテンツを全て一部分づつスキャン再生する複数記録媒体全スキャンモード、複数の記録媒体のうち所定の記録媒体内のコンテンツのみを全て一部分づつスキャン再生する記録媒体内スキャンモード、及び複数の記録媒体における最初のコンテンツのみを一部分づつスキャン再生する記録媒体別スキャンモードを、スキャンモード切換操作手段に対するユーザの押下操作に応じて切り換える第２のスキャンモード切換制御手段と、全スキャンモード、フォルダ内スキャンモード又はフォルダスキャンモードの何れかによるスキャン再生を実行中、所定の通常再生操作手段に対するユーザの押下操作に応じて通常の再生モードにおける再生処理に切り換え、複数記録媒体全スキャンモード、記録媒体内スキャンモード又は記録媒体別スキャンモードの何れかによるスキャン再生を実行中、通常再生操作手段に対するユーザの押下操作に応じて通常の再生モードにおける再生処理に切り換える再生制御手段とを設けることにより、記録媒体の種類を判別したうえで、スキャンモード切換操作手段に対するユーザの押下操作に応じて複数種類のスキャンモードを瞬時に切り換え得ると共に、通常再生操作手段に対するユーザの押下操作に応じてスキャン再生処理から通常再生処理へ切り換えることができるので、記録媒体の種類に拘わらず、コンテンツに対する検索時の操作性を向上すると共にユーザの使い勝手を一段と向上することができる。
【０００８】
また本発明においては、所定の記録媒体に記録されている複数のコンテンツを再生する再生方法において、記録媒体の属性情報を属性情報読出手段によって読み出す属性情報読出ステップと、当該属性情報に基づいて記録媒体の種類として、所定の方式で圧縮符号化された複数のコンテンツがフォルダ毎に記録されているものであるか、若しくは圧縮符号化されていない複数のコンテンツが記録されているものであるかを判別手段によって判別する判別ステップと、当該記録媒体がフォルダ毎に記録されているものであることを判別したとき、第１のスキャンモード切換制御手段により、記録媒体に記録されている複数のコンテンツを再生手段により全て一部分づつスキャン再生する全スキャンモード、記録媒体に記録されている所定のフォルダ内のコンテンツのみを再生手段により全て一部分づつスキャン再生するフォルダ内スキャンモード、及び記録媒体に記録されている全てのフォルダにおける最初のコンテンツのみを再生手段により一部分づつスキャン再生するフォルダスキャンモードを、所定のスキャンモード切換操作手段に対するユーザの押下操作に応じて切り換える第１のスキャンモード切換制御ステップと、当該記録媒体が圧縮符号化されていない複数のコンテンツが記録されているものであることを判別したとき、第２スキャンモード切換制御手段により、複数の記録媒体に記録されている複数のコンテンツを再生手段により全て一部分づつスキャン再生する複数記録媒体全スキャンモード、複数の記録媒体のうち所定の記録媒体内のコンテンツのみを再生手段により全て一部分づつスキャン再生する記録媒体内スキャンモード、及び複数の記録媒体における最初のコンテンツのみを再生手段により一部分づつスキャン再生する記録媒体別スキャンモードを、スキャンモード切換操作手段に対するユーザの押下操作に応じて切り換える第２のスキャンモード切換制御ステップと、全スキャンモード、フォルダ内スキャンモード又はフォルダスキャンモードの何れかによるスキャン再生処理を実行中、再生制御手段により、所定の通常再生操作手段に対するユーザの押下操作に応じて通常の再生モードにおける再生処理に切り換え、複数記録媒体全スキャンモード、記録媒体内スキャンモード又は記録媒体別スキャンモードの何れかによるスキャン再生処理を実行中、再生制御手段により、通常再生操作手段に対するユーザの押下操作に応じて通常の再生モードにおける再生処理に切り換える再生制御ステップととを有することにより、記録媒体の種類を判別したうえで、スキャンモード切換操作手段に対するユーザの押下操作に応じて複数種類のスキャンモードを瞬時に切り換え得ると共に、通常再生操作手段に対するユーザの押下操作に応じてスキャン再生処理から通常再生処理へ切り換えることができるので、記録媒体の種類に拘わらず、コンテンツに対する検索時の操作性を向上すると共にユーザの使い勝手を一段と向上することができる。
【発明の効果】
【０００９】
上述のように本発明によれば、記録媒体の種類を判別したうえで、スキャンモード切換操作手段に対するユーザの押下操作に応じて複数種類のスキャンモードを瞬時に切り換え得ると共に、通常再生操作手段に対するユーザの押下操作に応じてスキャン再生処理から通常再生処理へ切り換えることができるので、記録媒体の種類に拘わらず、コンテンツに対する検索時の操作性を向上すると共にユーザの使い勝手を一段と向上し得る再生装置を実現することができる。
【００１０】
また本発明によれば、記録媒体の種類を判別したうえで、スキャンモード切換操作手段に対するユーザの押下操作に応じて複数種類のスキャンモードを瞬時に切り換え得ると共に、通常再生操作手段に対するユーザの押下操作に応じてスキャン再生処理から通常再生処理へ切り換えることができるので、記録媒体の種類に拘わらず、コンテンツに対する検索時の操作性を向上すると共にユーザの使い勝手を一段と向上し得る再生方法を実現することができる。
【発明を実施するための最良の形態】
【００１１】
以下、図面について、本発明の一実施の形態を詳述する。
【００１２】
（１）ＣＤプレーヤの全体構成
図１において、１は全体として本発明の再生装置としての車載用ＣＤ(Compact Disc)プレーヤを示し、正面に設けられた操作パネル２にＣＤを複数枚収納するためのＣＤ挿入口３を有し、その下に液晶ディスプレイでなる表示部４、指示決定用の円形状でなる操作ボタン５、ＣＤ／ＡＵＸ切換ボタン６、メニューボタン７、ＡＭ／ＦＭ切換ボタン８、ＤＳＰボタン９、スキャンスイッチ１０及びテンキーボタン１１等が設けられている。
【００１３】
図２に示すようにＣＤプレーヤ１は、機構部２１及び信号処理部２３を有し、当該機構部２１及び信号処理部２３を制御手段としてのＣＰＵ(Central Processing Unit)３３によって統括制御するようになされている。
【００１４】
因みにＣＰＵ３３は、図示しないＲＯＭ(Read Only Memory)及びＲＡＭ(Random Access Memory)を有し、当該ＲＯＭに予め格納されている基本プログラム及びアプリケーションプログラムであるスキャンモード切換プログラムをＲＡＭに展開することにより、通常再生処理及びスキャンモード切換プログラムに従って後述するスキャンモード切換処理（後述する）を実行するようになされている。
【００１５】
機構部２１は、ＣＤ挿入口３（図１）から装填された複数枚（この場合、例えば５枚）のＣＤ２５を格納するための格納部を有すると共にローディング機構を有するＣＤチェンジャ２４、当該ＣＤチェンジャ２４によってローディングされたＣＤ２５を所定の回転速度で回転駆動するディスク回転モータ２６、ＣＤ２５の信号記録面から再生信号Ｓ１を読み取る光ピックアップ２７及びＣＰＵ３３の制御に従って指定のトラック又はファイルにアクセスするべく光ピックアップ２７を移動させる駆動部２８によって構成されている。
【００１６】
信号処理部２３は、光ピックアップ２７によって読み取られた再生信号Ｓ１を２値化することによりディジタルの再生データＤ２を生成するＲＦ(Radio Frequency)部２９、再生データＤ２に対して所定の復調処理、誤り訂正処理等の各種ディジタル信号処理を施すディジタルシグナルプロセッサ（ＤＳＰ）３０、及び当該ＤＳＰ３０によって復調処理等が行われた結果得られるオーディオデータＤ４をディジタルアナログ変換処理するディジタルアナログ変換回路３１によって構成されている。
【００１７】
実際上、ＣＤプレーヤ１は、通常再生処理を行う場合、ＣＤ挿入口３から装填されてＣＤチェンジャ２４によってローディングされたＣＤ２５をディスク回転モータ２６によって所定の回転速度で回転駆動し、光ピックアップ２７によって当該ＣＤ２５の信号記録面から読み取った再生信号Ｓ１をＲＦ部２９へ送出する。
【００１８】
ＲＦ部２９は、再生信号Ｓ１を２値化することにより再生データＤ２を得、これを後段のＤＳＰ３０へ送出する。
【００１９】
ＤＳＰ３０は、再生データＤ２のうちリードインエリアのＴＯＣ(Table Of Contents)に書き込まれている属性情報Ｄ３についてはＣＰＵ３３へ送出すると共に、再生データＤ２のうちオーディオデータＤ４については後段のＤ／Ａコンバータ３１へ送出する。
【００２０】
ＣＰＵ３３は、ＤＳＰ３０から供給された属性情報Ｄ３に基づいて当該ＣＤ２５の種類（例えばＭＰ３(MPEG Audio Layer-3)方式で圧縮符号化されたＣＤであるか若しくは通常のＣＤであるか）を判別すると共に、当該ＣＤ２５に記録されている楽曲の曲数や曲名及び再生時間等の各種情報を表示部４に表示する。
【００２１】
なおＣＰＵ３３は、操作パネル２から指定された各種命令として例えば再生時のシャッフル命令やリピート命令等をＤＳＰ３０へ与え、シャッフル再生やリピート再生を実行し得るようになされている。
【００２２】
Ｄ／Ａコンバータ３１は、オーディオデータＤ４をアナログのオーディオ信号Ｓ５に変換した後、これをスピーカ３２を介して出力する。
【００２３】
ところでＣＤプレーヤ１においては、ＭＰ３方式で圧縮符号化されたＣＤ又は通常のＣＤに対する複数種類のスキャンモードをスキャンスイッチ１０のみの押下操作に応じて瞬時に切り換えるスキャンモード切換処理をそれぞれ実行し得るようになされているが、その説明に入る前にＭＰ３方式で圧縮符号化されたＣＤ又は通常のＣＤに格納されている楽曲に対する複数種類のスキャンモードについて説明する。
【００２４】
（２）ＭＰ３方式で圧縮符号化されたＣＤに対するスキャンモード切換処理手順
図３に示すようにＭＰ３方式で圧縮符号化されたＣＤ２５では、当該ＣＤ２５がＣＤチェンジャ２４に装填されていた場合、このＣＤ２５には例えばフォルダ１にFile.1〜File.20の楽曲データが記録され、フォルダ２にはFile.21〜File.40の楽曲データが記録され、……、フォルダ５にはFile.81〜File.100の楽曲データが記録されている。
【００２５】
このようにＭＰ３方式で圧縮符号化されたＣＤ２５では、１枚のディスクに非常に多くの楽曲データを記録することができるので、それぞれフォルダ毎にファイル形式の楽曲データが記録されている。
【００２６】
このようなＭＰ３方式で圧縮符号化されたＣＤ２５のスキャンモードとしては、例えば全スキャンモード、フォルダ内スキャンモード及びフォルダスキャンモードと呼ばれる３種類のスキャンモードが考えられ、次にこれらのスキャンモードについて説明する。
【００２７】
図４（Ａ）に示すように全スキャンモードでは、ＣＤ２５のフォルダ１〜フォルダ５に記録されている全てのFile.1〜File.100の楽曲データに対してそれぞれ最初の１０秒間ずつ再生し、いずれかの楽曲データの再生中に決定ボタン５が押下されるまで繰り返し実行することにより、当該ＣＤ２５に記録されている楽曲データに関する内容を全てユーザに認識させるようになされたモードである。
【００２８】
図４（Ｂ）に示すようにフォルダ内スキャンモードでは、例えばＣＤ２５におけるフォルダ１がユーザによって選択された場合に、当該フォルダ１に収録されているFile.1〜File.20の楽曲データをそれぞれ最初の１０秒間ずつ再生し、いずれかの楽曲データの再生中に決定ボタン５が押下されるまで繰り返し実行することにより、当該フォルダ１にのみ収録された楽曲データに関する内容を全てユーザに認識させるようになされたモードである。
【００２９】
図４（Ｃ）に示すようにフォルダスキャンモードでは、ＣＤ２５にそれぞれ記録されている全てのフォルダ１〜フォルダ５における最初のFile.1、File.21、……、File.81の楽曲データだけをそれぞれ最初の１０秒間ずつ再生し、いずれかの楽曲データの再生中に決定ボタン５が押下されるまで繰り返し実行することにより、当該ＣＤ２５にそれぞれ記録されている全てのフォルダ１〜フォルダ５に関する内容を全てユーザに認識させるようになされたモードである。
【００３０】
これらの３種類のスキャンモードを操作パネル２のスキャンスイッチ１０だけを用いて瞬時に切り換えるためのスキャンモード切換処理手順について図５のフローチャートを用いて説明する。
【００３１】
ＣＤプレーヤ１のＣＰＵ３３は、ルーチンＲＴ１の開始ステップから入ってステップＳＰ１へ移る。ステップＳＰ１においてＣＰＵ３３は、ＣＤ２５のリードインエリアのＴＯＣ(Table Of Contents)から読み取った属性情報Ｄ３に基づいてディスクの種類が例えばＭＰ３方式で圧縮符号化されたものであることを認識し、次のステップＳＰ２へ移る。
【００３２】
ステップＳＰ２においてＣＰＵ３３は、ＣＤ２５の実データ記録領域の通常再生処理を開始し、次のステップＳＰ３へ移る。このときＣＰＵ３３は、ユーザによって何ら指示がされていない場合には、当該ＣＤ２５におけるフォルダ１の楽曲データをFile.1、File.2 、File.3 、……と再生して出力し、その後フォルダ２、フォルダ３、……と再生処理を続けることにより通常再生処理を実行する。
【００３３】
このときＣＰＵ３３は、File.1の楽曲データを再生中であれば、表示部４に通常再生処理中のFile.1の楽曲データに関するファイル番号及び再生時間を例えば「File.1  0:01:16」のように表示する。
【００３４】
ステップＳＰ３においてＣＰＵ３３は、ＣＤ２５の通常再生処理を行っている最中に、操作パネル２のスキャンスイッチ１０がユーザによって押下操作されたか否かを判定し、否定結果を得るとステップＳＰ２に戻って通常再生処理を継続する。
【００３５】
これに対してステップＳＰ３で肯定結果が得られると、このことはＣＤ２５の通常再生処理中にスキャンスイッチ１０が押下されたことを表しており、このときＣＰＵ３３は次のステップＳＰ４へ移る。
【００３６】
ステップＳＰ４においてＣＰＵ３３は、スキャンスイッチ１０に対する押下操作が１回であるか否かを判定し、肯定結果を得たときには次のステップＳＰ５へ移る。
【００３７】
ステップＳＰ５においてＣＰＵ３３は、スキャンスイッチ１０に対する押下操作が１回であるので、ユーザから全スキャンの要求があったと判断し、ＣＤ２５のフォルダ１〜フォルダ５に記録されている全てのFile.1〜File.100の楽曲データに対してそれぞれ最初の１０秒間ずつ再生を行う全スキャンを実行し、次のステップＳＰ６へ移る。
【００３８】
実際上、図６（Ａ）に示すように、ＣＰＵ３３は表示部４に「全スキャン」の文字を約２秒間表示した後、図６（Ｂ）に示すように例えばFile.1の楽曲データを１０秒間再生すると共に、当該File.1の楽曲データに関するファイル番号及び再生時間を例えば「File.1  0:00:01」のように点滅表示する。
【００３９】
そしてＣＰＵ３３は、File.1の楽曲データに対する１０秒間再生処理を終了した後、次のFile.2の楽曲データについて最初の１０秒間だけ再生すると共に、図６（Ｃ）に示すように次のFile.2の楽曲データに関するファイル番号及び再生時間を例えば「File.2  0:0:01」のように点滅表示する。
【００４０】
以下、同様にＣＰＵ３３は、全スキャンを行うと共に１０秒間再生処理を行っているファイルの楽曲データに関してファイル番号及び再生時間を同様に点滅表示する。これによりＣＰＵ３３は、各ファイルの楽曲データの内容を１０秒間の再生出力を通してユーザに聴覚的に認識させることができると共に、いずれのファイルの楽曲データを再生しているかを表示部４を介してユーザに目視確認させ得るようにもなされている。
【００４１】
ステップＳＰ６においてＣＰＵ３３は、全スキャンの実行中に操作ボタン５が押下されたか否かを判定し、否定結果を得ると全スキャンを継続して操作ボタン５が押下されるまで待ち続ける。
【００４２】
これに対してステップＳＰ６で肯定結果が得られると、このことは操作ボタン５が押下されたときのファイルがユーザの再生希望の楽曲データであることを表しており、このときＣＰＵ３３は次のステップＳＰ７へ移る。
【００４３】
ステップＳＰ７においてＣＰＵ３３は、操作ボタン５が押下されたときに１０秒間だけスキャン再生していたファイルの楽曲データに対する通常再生処理を開始し、ステップＳＰ２へ戻る。この場合、ＣＰＵ３３は全スキャンの最中に操作ボタン５が押下操作されたのであるから、そのファイル以降の全ファイルを順次通常再生処理するようになされている。
【００４４】
実際上ＣＰＵ３３は、図６（Ｄ）に示すように例えばFile.5の楽曲データをスキャン再生中に操作ボタン５が押下された場合には、そのFile.5の楽曲データに対して通常再生処理を行うと共に、ファイル番号及び再生時間を例えば「File.5  0:00:03」のように通常表示し、File.6以降の楽曲データについても通常再生処理を行うと共にファイル番号及び再生時間を継続して表示する。
【００４５】
一方、ステップＳＰ４で否定結果が得られると、このことはスキャンスイッチ１０に対する押下操作が１回ではないことを表しており、このときＣＰＵ３３は次のステップＳＰ８に移る。
【００４６】
ステップＳＰ８においてＣＰＵ３３は、スキャンスイッチ１０に対する押下操作が連続して２回行われたか否かを判定し、肯定結果を得たときには次のステップＳＰ９へ移る。
【００４７】
ステップＳＰ９においてＣＰＵ３３は、スキャンスイッチ１０に対する押下操作が２回連続して行われたので、ユーザからフォルダ内スキャンの要求があったと判断し、例えばフォルダ１内のFile.1〜File.20の楽曲データに対してそれぞれ最初の１０秒間ずつ再生処理を行うフォルダ内スキャンを実行し、次のステップＳＰ１０へ移る。
【００４８】
実際上、図７（Ａ）に示すように、ＣＰＵ３３は表示部４に「フォルダ内スキャン」の文字を約２秒間表示した後、図７（Ｂ）に示すようにフォルダ１内のFile.1の楽曲データを１０秒間再生すると共に、当該File.1の楽曲データに関するフォルダ番号、ファイル番号及び再生時間を例えば「Folder1 File.1 0:00:01」のように点滅表示する。
【００４９】
そしてＣＰＵ３３は、File.1の楽曲データに対する１０秒間再生処理が終了した後、次のFile.2の楽曲データについて最初の１０秒間だけ再生すると共に、図７（Ｃ）に示すように次のFile.2の楽曲データに関してフォルダ番号、ファイル番号及び再生時間を「Folder1 File.2 0:00:01」のように点滅表示する。
【００５０】
以下、同様にＣＰＵ３３は、フォルダ内スキャンにより１０秒間再生処理を行っている当該フォルダ１における各ファイルの楽曲データに関してフォルダ番号、ファイル番号及び再生時間を同様に点滅表示する。
【００５１】
ステップＳＰ１０においてＣＰＵ３３は、フォルダ内スキャンの実行中に操作ボタン５が押下されたか否かを判定し、否定結果を得るとフォルダ内スキャンを継続して操作ボタン５が押下されるまで待ち続ける。
【００５２】
これに対してステップＳＰ１０で肯定結果が得られると、このことは操作ボタン５が押下されたときのファイルがユーザの再生希望の楽曲データであることを表しており、このときＣＰＵ３３は次のステップＳＰ１１へ移る。
【００５３】
ステップＳＰ１１においてＣＰＵ３３は、操作ボタン５が押下されたときに１０秒間だけスキャン再生していたファイルの楽曲データに対して通常再生処理を開始し、ステップＳＰ２へ戻る。この場合、ＣＰＵ３３はフォルダ内スキャンの最中に操作ボタン５が押下操作されたのであるから、以後そのフォルダ１内のファイルを順次通常再生処理するようになされている。
【００５４】
実際上ＣＰＵ３３は、図７（Ｄ）に示すように例えばFile.5の楽曲データをスキャン再生中に操作ボタン５が押下された場合には、そのFile.5の楽曲データに対して通常再生処理を行うと共に、フォルダ番号、ファイル番号及び再生時間を例えば「Folder1 File.5 0:00:03」のように通常表示し、File.6以降の楽曲データについても通常再生処理を行うと共にフォルダ番号、ファイル番号及び再生時間を継続して表示する。
【００５５】
一方、ステップＳＰ８で否定結果が得られると、このことはスキャンスイッチ１０に対する押下操作が２回連続して行われたものではないことを表しており、このときＣＰＵ３３は次のステップＳＰ１２へ移る。
【００５６】
ステップＳＰ１２においてＣＰＵ３３は、スキャンスイッチ１０に対する押下操作が連続して３回行われたか否かを判定し、肯定結果を得たときには次のステップＳＰ１３へ移る。
【００５７】
ステップＳＰ１３においてＣＰＵ３３は、スキャンスイッチ１０に対する押下操作が３回連続して行われたので、ユーザからフォルダスキャンの要求があったと判断し、フォルダ１内のFile.1の楽曲データ、フォルダ２内のFile.21の楽曲データ、……、File５内のFile.81の楽曲データに対してそれぞれ最初の１０秒間ずつ再生処理を行うフォルダスキャンを実行し、次のステップＳＰ１４へ移る。
【００５８】
実際上、図８（Ａ）に示すように、ＣＰＵ３３は表示部４に「フォルダスキャン」の文字を約２秒間表示した後、図８（Ｂ）に示すようにフォルダ１内のFile.1の楽曲データを１０秒間だけ再生すると共に、当該File.1の楽曲データに関するフォルダ番号、ファイル番号及び再生時間を例えば「Folder1 File.1 0:00:01」のように点滅表示する。
【００５９】
そしてＣＰＵ３３は、フォルダ１内のFile.1の楽曲データに対する１０秒間再生処理が終了した後、次のフォルダ２内のFile.2１の楽曲データについて最初の１０秒間だけ再生すると共に、図８（Ｃ）に示すように次のフォルダ２内のFile.21の楽曲データに関してフォルダ番号、ファイル番号及び再生時間を例えば「Folder2 File.21 0:0:01」のように点滅表示する。
【００６０】
以下、同様にＣＰＵ３３は、フォルダスキャンを行うと共に１０秒間再生処理を行っている当該各フォルダにおける先頭ファイルの楽曲データに関してフォルダ番号、ファイル番号及び再生時間を同様に点滅表示する。
【００６１】
ステップＳＰ１４においてＣＰＵ３３は、各フォルダの先頭ファイルの楽曲データを再生中に操作ボタン５が押下されたか否かを判定し、否定結果を得るとフォルダスキャンを継続して操作ボタン５が押下されるまで待ち続ける。
【００６２】
これに対してステップＳＰ１４で肯定結果が得られると、このことは各フォルダの先頭ファイルの楽曲データを再生中に操作ボタン５が押下されたことを表しており、このときＣＰＵ３３は次のステップＳＰ１５へ移る。
【００６３】
ステップＳＰ１５においてＣＰＵ３３は、操作ボタン５が押下されたときに１０秒間だけスキャン再生していたファイルの楽曲データから通常再生処理を開始し、ステップＳＰ２へ戻る。この場合、ＣＰＵ３３はフォルダスキャンにより例えばフォルダ５のFile.81の楽曲データをスキャン再生処理中に操作ボタン５が押下操作されたのであれば、以後そのフォルダ５内のファイルを順次通常再生処理するようになされている。
【００６４】
実際上ＣＰＵ３３は、図８（Ｄ）に示すように例えばフォルダ５内のFile.81の楽曲データをスキャン再生中に操作ボタン５が押下された場合には、そのフォルダ５内のFile.81の楽曲データに対して通常再生処理を行うと共に、フォルダ番号、ファイル番号及び再生時間を例えば「Folder5 File.81 0:00:03」のように通常表示し、フォルダ５内におけるFile.82以降の楽曲データについても通常再生処理を行うと共にフォルダ番号、ファイル番号及び再生時間を継続して表示する。
【００６５】
一方、ステップＳＰ１２で否定結果が得られると、このことはスキャンスイッチ１０に対する押下操作が１回、２回又は３回行われたものでもないことを表しており、このときＣＰＵ３３はステップＳＰ３に戻って上述の処理を繰り返す。
【００６６】
このようにＣＰＵ３３は、ユーザのスキャンスイッチ１０に対する押下回数を判断するだけで全スキャン、フォルダ内スキャン又はフォルダスキャンのいずれのスキャンモードをユーザが希望しているかを認識し、当該認識したスキャンモード（全スキャン、フォルダ内スキャン又はフォルダスキャン）を実行するようになされている。
【００６７】
（３）通常のＣＤに対するスキャンモード切換処理手順
一方、通常のＣＤでは、図９に示すように例えば５種類のディスクNo.1 〜ディスクNo.5 で示されるＣＤがＣＤチェンジャ２４に装填されていた場合であって、ディスクNo.1 のＣＤにはTrack.1〜Track.10の楽曲データが記録され、ディスクNo.2 のＣＤにはTrack.1〜Track.10の楽曲データが記録され、……、ディスクNo.5 のＣＤにはTrack.1〜Track.10の楽曲データが記録されている場合を想定して以下説明する。
【００６８】
このような通常のＣＤ２５に対するスキャンモードとしては、例えば全スキャンモード、ディスク内スキャンモード及びディスクスキャンモードと呼ばれる３種類のスキャンモードが考えられ、次にこれらのスキャンモードについて説明する。
【００６９】
図１０（Ａ）に示すように全スキャンモードでは、ディスクNo.1 のＣＤに記録されているTrack.1〜Track.10 、ディスクNo.2 のＣＤに記録されているTrack.1〜Track.10 、……、ディスクNo.5 のＣＤに記録されているTrack.1〜Track.10 の楽曲データ全てに対してそれぞれ最初の１０秒間ずつ再生し、いずれかの楽曲データの再生中に決定ボタン５が押下されるまで繰り返し実行することにより、ディスクNo.1 〜ディスクNo.5 の全ＣＤに記録されている楽曲データに関する内容を全てユーザに認識させるようになされたモードである。
【００７０】
図１０（Ｂ）に示すようにディスク内スキャンモードでは、例えばディスクNo.1 のＣＤがユーザによって選択された場合に、当該ディスクNo.1のＣＤに収録されているTrack.1〜Track.10の楽曲データをそれぞれ最初の１０秒間ずつ再生し、いずれかの楽曲データの再生中に決定ボタン５が押下されるまで繰り返し実行することにより、当該ディスクNo.1のＣＤにのみ収録された全部の楽曲データに関する内容をユーザに認識させるようになされたモードである。
【００７１】
図１０（Ｃ）に示すようにディスクスキャンモードでは、ディスクNo.1 のＣＤに記録されている最初のTrack.1、ディスクNo.2 のＣＤに記録されている最初のTrack.1、……、ディスクNo.5 のＣＤに記録されている最初のTrack.1の楽曲データだけをそれぞれ最初の１０秒間ずつ再生し、いずれかの楽曲データの再生中に決定ボタン５が押下されるまで繰り返し実行することにより、ディスクNo.1 〜ディスクNo.5 のＣＤに関する内容を最初のTrack.1 の楽曲データだけを介してユーザに認識させるようになされたモードである。
【００７２】
これらの３種類のスキャンモードを操作パネル２のスキャンスイッチ１０だけを用いて瞬時に切り換えるための通常のＣＤ２５に対するスキャンモード切換処理手順について図１１のフローチャートを用いて説明する。
【００７３】
ＣＤプレーヤ１のＣＰＵ３３は、ルーチンＲＴ２の開始ステップから入ってステップＳＰ２１へ移る。ステップＳＰ２１においてＣＰＵ３３は、ＣＤチェンジャ２４によってローディングされた例えばディスクNo.1のＣＤ２５におけるリードインエリアのＴＯＣから読み取った属性情報Ｄ３に基づいてディスクの種類が通常のＣＤであることを認識し、次のステップＳＰ２２へ移る。
【００７４】
ステップＳＰ２２においてＣＰＵ３３は、ＣＤ２５の実データ記録領域の通常再生処理を開始し、次のステップＳＰ２３へ移る。このときＣＰＵ３３は、ユーザによって何ら指示がされていない場合には、当該ディスクNo.1のＣＤ２５におけるTrack.1、Track.2、Track.3、……と再生処理を続けることにより通常再生処理を実行する。
【００７５】
このときＣＰＵ３３は、Track.1の楽曲データを再生中であれば、表示部４に現在再生中のTrack.1の楽曲データに関するトラック番号及び再生時間を例えば「Track.1  0:01:16」のように表示する。
【００７６】
ステップＳＰ２３においてＣＰＵ３３は、当該ＣＤ２５の通常再生処理を行っている最中に、操作パネル２のスキャンスイッチ１０がユーザによって押下操作されたか否かを判定し、否定結果を得るとＣＰＵ３３はステップＳＰ２２に戻って通常再生処理を継続する。
【００７７】
これに対してステップＳＰ２３で肯定結果が得られると、このことはＣＤ２５の通常再生処理中にスキャンスイッチ１０が押下されたことを表しており、このときＣＰＵ３３は次のステップＳＰ２４へ移る。
【００７８】
ステップＳＰ２４においてＣＰＵ３３は、スキャンスイッチ１０に対する押下操作が１回であるか否かを判定し、肯定結果を得たときには次のステップＳＰ２５へ移る。
【００７９】
ステップＳＰ２５においてＣＰＵ３３は、スキャンスイッチ１０に対する押下操作が１回であるので、ユーザから全スキャンの要求があったと判断し、ディスクNo.1 〜ディスクNo.5 の各ＣＤに記録されている全てのTrack.1〜Track.10の楽曲データに対してそれぞれ最初の１０秒間ずつ再生処理を行う全スキャンを実行し、次のステップＳＰ２６へ移る。
【００８０】
実際上、図１２（Ａ）に示すように、ＣＰＵ３３は表示部４に「全スキャン」の文字を約２秒間表示した後、図１２（Ｂ）に示すように例えばTrack.1の楽曲データを１０秒間再生すると共に、Track.1の楽曲データに関するトラック番号及び再生時間を例えば「Track.1  0:00:01」のように点滅表示する。
【００８１】
そしてＣＰＵ３３は、Track.1の楽曲データに対する１０秒間再生処理を終了した後、次のTrack.2の楽曲データについて最初の１０秒間だけ再生すると共に、図１２（Ｃ）に示すように次のTrack.2の楽曲データに関するトラック番号及び再生時間を「Track.2  0:00:01」のように点滅表示する。
【００８２】
以下、同様にＣＰＵ３３は、全スキャンを行うと共に１０秒間再生処理を行っているトラックの楽曲データに関してトラック番号及び再生時間を同様に点滅表示する。これによりＣＰＵ３３は、各トラックの楽曲データの内容を１０秒間の再生出力を通してユーザに聴覚的に認識させることができると共に、いずれのトラックの楽曲データを再生しているかを表示部４を介してユーザに目視確認させ得るようにもなされている。
【００８３】
ステップＳＰ２６においてＣＰＵ３３は、全スキャンの実行中に操作ボタン５が押下されたか否かを判定し、否定結果を得ると全スキャンを継続して操作ボタン５が押下されるまで待ち続ける。
【００８４】
これに対してステップＳＰ２６で肯定結果が得られると、このことは操作ボタン５が押下されたときのトラックがユーザの再生希望の楽曲データであることを表しており、このときＣＰＵ３３は次のステップＳＰ２７へ移る。
【００８５】
ステップＳＰ２７においてＣＰＵ３３は、操作ボタン５が押下されたときに１０秒間だけスキャン再生していたトラックの楽曲データに対して通常再生処理を開始し、ステップＳＰ２２へ戻る。この場合、ＣＰＵ３３は全スキャンの最中に操作ボタン５が押下操作されたのであるから、そのトラック以降の全トラックを順次通常再生処理するようになされている。
【００８６】
実際上ＣＰＵ３３は、図１２（Ｄ）に示すように例えばTrack.5の楽曲データをスキャン再生中に操作ボタン５が押下された場合には、そのTrack.5の楽曲データに対して通常再生処理を行うと共に、当該Track.5の楽曲データに関するトラック番号及び再生時間を例えば「Track.5  0:00:03」のように通常表示し、Track.6以降の楽曲データについても通常再生処理を行うと共にトラック番号及び再生時間を継続して表示する。
【００８７】
一方、ステップＳＰ２４で否定結果が得られると、このことはスキャンスイッチ１０に対する押下操作が１回ではないことを表しており、このときＣＰＵ３３は次のステップＳＰ２８に移る。
【００８８】
ステップＳＰ２８においてＣＰＵ３３は、スキャンスイッチ１０に対する押下操作が連続して２回行われたか否かを判定し、肯定結果を得たときには次のステップＳＰ２９へ移る。
【００８９】
ステップＳＰ２９においてＣＰＵ３３は、スキャンスイッチ１０に対する押下操作が２回連続して行われたので、ユーザからディスク内スキャンの要求があったと判断し、例えばディスクNo.1 のＣＤ２５におけるTrack.1〜Track.10の楽曲データに対してそれぞれ最初の１０秒間ずつ再生処理を行うディスク内スキャンを実行し、次のステップＳＰ３０へ移る。
【００９０】
実際上、図１３（Ａ）に示すように、ＣＰＵ３３は表示部４に「ディスク内スキャン」の文字を約２秒間表示した後、図１３（Ｂ）に示すようにディスクNo.1内のTrack.1の楽曲データに関してディスク番号、トラック番号及び再生時間を例えば「Disc1 Track.1 0:00:01」のように点滅表示する。
【００９１】
そしてＣＰＵ３３は、Track.1の楽曲データに対する１０秒間再生処理が終了した後、次のTrack.2の楽曲データについて最初の１０秒間だけ再生処理を行うと共に、図１３（Ｃ）に示すように次のTrack.2の楽曲データに関してディスク番号、トラック番号及び再生時間を「Disc1 Track.2 0:00:01」のように点滅表示する。
【００９２】
以下、同様にＣＰＵ３３は、ディスク内スキャンにより１０秒間再生処理を行っている当該ディスクNo.1における各トラックの楽曲データに関してディスク番号、トラック番号及び再生時間を同様に点滅表示する。
【００９３】
ステップＳＰ３０においてＣＰＵ３３は、ディスク内スキャンの実行中に操作ボタン５が押下されたか否かを判定し、否定結果を得るとディスク内スキャンを継続して操作ボタン５が押下されるまで待ち続ける。
【００９４】
これに対してステップＳＰ３０で肯定結果が得られると、このことは操作ボタン５が押下されたときのトラックがユーザの再生希望の楽曲データであることを表しており、このときＣＰＵ３３は次のステップＳＰ３１へ移る。
【００９５】
ステップＳＰ３１においてＣＰＵ３３は、操作ボタン５が押下されたときに１０秒間だけスキャン再生していたトラックの楽曲データに対して通常再生処理を開始し、ステップＳＰ２２へ戻る。この場合、ＣＰＵ３３はディスク内スキャンの最中に操作ボタン５が押下操作されたのであるから、以後そのディスクNo.1 内のトラックを順次通常再生処理するようになされている。
【００９６】
実際上ＣＰＵ３３は、図１３（Ｄ）に示すように例えばTrack.5の楽曲データをスキャン再生中に操作ボタン５が押下された場合には、そのTrack.5の楽曲データに対して通常再生処理を行うと共に、ディスク番号、トラック番号及び再生時間を例えば「Disc1 Track.5 0:00:03」のように通常表示し、Track.6以降の楽曲データについても通常再生処理を行うと共にディスク番号、トラック番号及再生時間を継続して表示する。
【００９７】
一方、ステップＳＰ２８で否定結果が得られると、このことはスキャンスイッチ１０に対する押下操作が２回連続して行われたものではないことを表しており、このときＣＰＵ３３は次のステップＳＰ３２へ移る。
【００９８】
ステップＳＰ３２においてＣＰＵ３３は、スキャンスイッチ１０に対する押下操作が連続して３回行われたか否かを判定し、肯定結果を得たときには次のステップＳＰ３３へ移る。
【００９９】
ステップＳＰ３３においてＣＰＵ３３は、スキャンスイッチ１０に対する押下操作が３回連続して行われたので、ユーザからディスクスキャンの要求があったと判断し、ディスクNo.1 内のTrack.1の楽曲データ、ディスクNo.2 内のTrack.1の楽曲データ、……、ディスクNo.5 内のTrack.1の楽曲データに対してのみ最初の１０秒間ずつ再生を行うディスクスキャンを実行し、次のステップＳＰ３４へ移る。
【０１００】
実際上、図１４（Ａ）に示すように、ＣＰＵ３３は表示部４に「ディスクスキャン」の文字を約２秒間表示した後、図１４（Ｂ）に示すように現在再生中のディスクNo.1内のTrack.1の楽曲データを１０秒間だけ再生すると共に、Track.1の楽曲データに関するディスク番号、トラック番号及び再生時間を「Disc1 Track.1 0:00:01」のように点滅表示する。
【０１０１】
そしてＣＰＵ３３は、ディスクNo.1のTrack.1の楽曲データに対する１０秒間再生処理が終了した後、次のディスクNo.2のTrack.１の楽曲データについて最初の１０秒間だけ再生を行うと共に、図１４（Ｃ）に示すように次のディスクNo.2のTrack.1の楽曲データに関してディスク番号、トラック番号及び再生時間を「Disc2 Track.1 0:0:01」のように点滅表示する。
【０１０２】
以下、同様にＣＰＵ３３は、ディスクスキャンを行うと共に１０秒間再生処理を行っている当該各ディスクにおける先頭トラックの楽曲データに関してディスク番号、トラック番号及び再生時間を同様に点滅表示する。
【０１０３】
ステップＳＰ３４においてＣＰＵ３３は、上述のように各ディスクの先頭トラックの楽曲データを再生中に操作ボタン５が押下されたか否かを判定し、否定結果を得るとディスクスキャンを継続して操作ボタン５が押下されるまで待ち続ける。
【０１０４】
これに対してステップＳＰ３４で肯定結果が得られると、このことは各ディスクの先頭トラックの楽曲データを再生中に操作ボタン５が押下されたことを表しており、このときＣＰＵ３３は次のステップＳＰ３５へ移る。
【０１０５】
ステップＳＰ３５においてＣＰＵ３３は、操作ボタン５が押下されたときに１０秒間だけスキャン再生していたトラックの楽曲データから通常再生処理を開始し、ステップＳＰ２２へ戻る。
【０１０６】
この場合、ＣＰＵ３３はディスクスキャンにより例えばディスク５内のTrack.8の楽曲データをスキャン再生処理中に操作ボタン５が押下操作されたのであるから、以後そのディスクNo.５内のトラックを順次通常再生処理するようになされている。
【０１０７】
実際上ＣＰＵ３３は、図１４（Ｄ）に示すように例えばディスクNo.5内のTrack.8の楽曲データをスキャン再生中に操作ボタン５が押下された場合には、そのヂスク５内のTrack.8の楽曲データに対して通常再生処理を行うと共に、ディスク番号、トラック番号及び再生時間を例えば「Disc5 Track.8 0:00:01」のように通常表示し、File.9以降の楽曲データについても通常再生処理を行うと共にディスク番号、トラック番号及び再生時間を継続して表示する。
【０１０８】
一方、ステップＳＰ３２で否定結果が得られると、スキャンスイッチ１０に対する押下操作が１回、２回又は３回行われたものでもないことを表しており、このときＣＰＵ３３はステップＳＰ２３に戻って上述の処理を繰り返す。
【０１０９】
このようにＣＰＵ３３は、ユーザのスキャンスイッチ１０に対する押下回数を判断するだけで全スキャン、ディスク内スキャン又はディスクスキャンのいずれのスキャンモードをユーザが希望しているかを認識し、当該認識したスキャンモード（全スキャン、フォルダ内スキャン又はフォルダスキャン）を実行するようになされている。
【０１１０】
（４）動作及び効果
以上の構成において、ＣＤプレーヤ１のＣＰＵ３３は、操作パネル２のスキャンスイッチ１０の押下回数が１回の場合には全スキャンを行い、スキャンスイッチ１０の押下回数が２回連続のときはフォルダ内スキャン又はディスク内スキャンを行い、スキャンスイッチ１０の押下回数が３回連続のときはフォルダスキャン又はディスクスキャンを行う。
【０１１１】
これによりＣＤプレーヤ１のＣＰＵ３３は、スキャンモードの切り換えをユーザによるスキャンスイッチ１０の押下回数に応じて行うことができるので、運転中のユーザに対してメニューボタン７からスキャンモードを順次切り換えるための設定を行う等の煩雑な操作をさせることなく、スキャンスイッチ１０の押下回数を変化させるだけの単純な操作でスキャンモードの切り換え操作を実行することができる。
【０１１２】
またＣＤプレーヤ１のＣＰＵ３３は、全スキャン、フォルダ内スキャン又はディスク内スキャン、フォルダスキャン又はディスクスキャンのいずれかのスキャン再生中に操作ボタン５が押下されたことを検出すると、そのファイル又はそのトラックから楽曲データの通常再生処理を開始することができるので、運転中のユーザに１０秒間の再生出力を通じて楽曲データの内容が認識できた時点で所望の楽曲データを瞬時に選定させることもできる。
【０１１３】
以上の構成によれば、ＣＤプレーヤ１のＣＰＵ３３はスキャンスイッチ１０のみの押下回数に応じてＭＰ３方式で圧縮符号化されたＣＤ又は通常のＣＤに対する複数のスキャンモードを切り換えることができるので、複数のボタン操作やスイッチ操作をユーザに強いることなくスキャンスイッチ１０だけの単純な押下操作だけでスキャンモードを切り換えることができる。
【０１１４】
（５）他の実施の形態
なお上述の実施の形態においては、本発明の再生装置を車載用のＣＤプレーヤに適用するようにした場合について述べたが、本発明はこれに限らず、家庭用のＣＤプレーヤ、ＤＶＤを記録媒体として用いたＤＶＤプレーヤ、ハードディスクを記録媒体として用いた再生装置、半導体メモリを記録媒体として用いた他の種々の再生装置に適用するようにしても良い。
【０１１５】
例えばＤＶＤプレーヤにおいては、全スキャン、ディスク内スキャン又はディスクスキャンをチャプター単位で行う場合に適用することもできる。
【０１１６】
また上述の実施の形態においては、スキャンスイッチ１０の押下回数に応じて複数種類のスキャンモードを切り換えるようにした場合について述べたが、本発明はこれに限らず、スキャンスイッチ１０を短い時間押下する場合と長い時間押下する場合等の押下時間に応じて複数種類のスキャンモードを切り換えたり、スキャンスイッチ１０を浅く押下する場合と深く押下する場合等の押下深度に応じて複数種類のスキャンモードを切り換えるようにしても良い。
【０１１７】
さらに上述の実施の形態においては、ＭＰ３方式で圧縮符号化された１枚のＣＤ２５について全スキャン、フォルダ内スキャン又はフォルダスキャンを切り換えて行うようにした場合について述べたが、本発明はこれに限らず、ＣＤチェンジャ２４を用いてＭＰ３方式で圧縮符号化された複数枚のＣＤを用いて全スキャン、フォルダ内スキャン又はフォルダスキャンを切り換えて行うようにしても良い。
【０１１８】
さらに上述の実施の形態においては、ＭＰ３方式で圧縮符号化されたＣＤ又は通常のＣＤを対象としたＣＤプレーヤ１に適用するようにした場合について述べたが、本発明はこれに限らず、例えばＡＴＲＡＣＫ(Adaptive Transform Acoustic Coding)等の他の種々の方式で圧縮符号化されたＣＤを対象としたＣＤプレーヤに適用するようにしても良い。
【０１１９】
さらに上述の実施の形態においては、切換手段として用いられるスキャンスイッチ１０を操作パネル２上に設けるようにした場合について述べたが、本発明はこれに限らず、リモートコントローラ上にスキャンスイッチ１０を設けて複数種類のスキャンモードを切り換えるようにしても良い。
【０１２０】
さらに上述の実施の形態においては、再生装置としてのＣＤプレーヤ１を、スキャン再生手段としての光ピックアップ２７及び信号処理部２３、切換手段としてのスキャンスイッチ１０、制御手段としてのＣＰＵ３３によって構成するようにした場合について述べたが、本発明はこれに限らず、その他種々の回路構成でなるスキャン再生手段、切換手段及び制御手段によって再生装置を構成するようにしても良い。
【図面の簡単な説明】
【０１２１】
【図１】本発明のＣＤプレーヤの全体構成を示す略線的斜視図である。
【図２】ＣＤプレーヤの回路構成を示す略線的ブロック図である。
【図３】ＭＰ３方式によりファイル単位で記録されたＣＤを示す略線図である。
【図４】ＭＰ３方式で記録されたＣＤのスキャン方式の説明に供する略線図である。
【図５】ＭＰ３ＣＤに対するスキャンモード切換処理手順を示すフローチャートである。
【図６】全スキャンモードにおける表示例を示す略線図である。
【図７】フォルダ内スキャンモードにおける表示例を示す略線図である。
【図８】フォルダスキャンモードにおける表示例を示す略線図である。
【図９】トラック単位で記録された通常のＣＤを示す略線図である。
【図１０】通常のＣＤのスキャン方式の説明に供する略線図である。
【図１１】通常ＣＤに対するスキャンモード切換処理手順を示すフローチャートである。
【図１２】全スキャンモードにおける表示例を示す略線図である。
【図１３】ディスク内スキャンモードにおける表示例を示す略線図である。
【図１４】ディスクスキャンモードにおける表示例を示す略線図である。
【符号の説明】
【０１２２】
１……ＣＤプレーヤ、２……操作パネル、３……ＣＤ挿入口、４……表示部、５……操作ボタン、７……メニューボタン、１０……スキャンスイッチ、２１……機構部、２３……信号処理部、２５……ＣＤ、２７……光ピックアップ、２８……駆動部、３０……ＤＳＰ、３３……ＣＰＵ。
【図１】
2008071485.tif 000003
【図２】
2008071485.tif 000004
【図３】
2008071485.tif 000005
【図４】
2008071485.tif 000006
【図５】
2008071485.tif 000007
【図６】
2008071485.tif 000008
【図７】
2008071485.tif 000009
【図８】
2008071485.tif 000010
【図９】
2008071485.tif 000011
【図１０】
2008071485.tif 000012
【図１１】
2008071485.tif 000013
【図１２】
2008071485.tif 000014
【図１３】
2008071485.tif 000015
【図１４】
2008071485.tif 000016